(57)【特許請求の範囲】
【請求項１】
原稿の画像情報を読み取る原稿読み取り装置に用いられ、回転止め部材を用いてガイド部材が回転するのを防止し、光源が移動するのをガイドするガイド部材を前記原稿読み取り装置の筐体に取り付けるガイド部材の取り付け構造であって、
前記ガイド部材は、ガイド部材側回転防止孔と、前記筐体へのガイド部材側取り付け孔とが設けられた取り付け面を両端部に有し、
前記筐体は、前記取り付け面に対向する側面に前記ガイド部材側回転防止孔に対応する位置に設けられた筐体側回転防止孔と、前記ガイド部材側取り付け孔に対応する位置に配置された筐体側取り付け孔とを有し、
前記回転止め部材は、連結部取り付け孔と、前記ガイド部材側回転防止孔に挿入される突起部とを有し、
前記ガイド部材側取り付け孔及び前記筐体側取り付け孔、前記連結部取り付け孔に挿入されるとともに前記ガイド部材を前記筐体に固定する固定部材を備えた、
ガイド部材の取り付け構造。
【請求項２】
前記ガイド部材回転防止孔及び筐体側回転防止孔はそれぞれ一対の孔で構成され、
前記回転止め部材は、２つの前記突起部と、２つの前記突起部を連結するとともに２つの前記突起部の間に前記連結部取り付け孔を有する連結部とを備えた回転止め部材をさらに備え、
前記固定部材は、前記連結部取り付け孔に挿入されて、前記回転止め部材を前記筐体に固定する、
請求項１に記載のガイド部材取り付け構造。
【請求項３】
前記筐体はガイド部材の鉛直方向位置決め孔をさらに有し、
前記鉛直方向位置決め孔は一方向に延びる鉛直方向位置決め部材が挿入されることで鉛直方向位置を決める、
請求項１又は２に記載のガイド部材取り付け構造。
【請求項４】
２つのガイド部材側回転防止孔及び取り付け孔を有し原稿読み取り装置の光源ユニットの移動をガイドするガイド部材を、前記２つの筐体側側回転防止孔及び前記筐体側取り付け孔に対応する位置に設けられた２つのガイド部材側回転防止孔、ガイド側取り付け孔及び鉛直方向位置決め孔を有する原稿読み取り装置の筐体に取り付ける取り付け方法であって、
前記鉛直方向位置決め孔を貫通する鉛直方向位置決め部材を前記筐体外側から取り付け前記鉛直方向位置決め部材に前記ガイド部材の上面を当接させて前記ガイド部材の鉛直方向位置を決定し、前記ガイド部材側回転防止孔と前記筐体側回転防止孔とが重なり合うように前記ガイド部材を位置決めする第１工程と、
２つの突起部を有する第２部材を用意し、前記ガイド部材側回転防止孔及び前記筐体側回転防止孔に筐体外部から前記回転止め部材の突起部を貫通させて前記回転止め部材を配置する第２工程と、
固定部材によって前記第２部材を前記筐体に固定することにより、前記ガイド部材を前記筐体に取り付ける第３工程と、
前記ガイド部材を取り付けた後、前記鉛直方向位置決め部材を取り外す第４工程と、
を備えたガイド部材の取り付け方法。
【発明の詳細な説明】
【技術分野】
【０００１】
本発明は、ガイド部材の取り付け構造及びガイド部材の取り付け方法、特に、原稿の画像情報を読み取る原稿読み取り装置に用いられ、光源ユニットが移動するのをガイドするガイド部材を原稿読み取り装置の筐体に取り付けるガイド部材の取り付け構造及びその構造による取り付け方法に関する。
【背景技術】
【０００２】
原稿読み取り装置は、原稿に光を照射する光源と、原稿によって反射した光源が発した光をさらに反射する反射部と、反射部で反射された光を結像する結像レンズと、結像レンズで結像された光学像を光電変換する光電変換素子とを備えている。この原稿読み取り装置では、光源によって原稿に光を照射し、原稿によって反射した光を反射部によってさらに反射する。反射部で反射された光は、結像レンズで結像されて、光電変更素子によって光電変換される。ここで、光源は、原稿全体の画像データを読み取るために、原稿読み取り装置の筐体に配置されたガイド部材にガイドされて原稿の一端側から他端側まで移動する。このとき、ガイド部材の取り付け精度が悪いと、光源が原稿に照射する位置がずれてしまう。このため、ガイド部材が精度良く取り付けられていることが必要である。
【０００３】
ガイド部材を筐体に取り付ける際には、筐体のガイド部材を配置したい場所に短辺部材を配置し、ガイド部材に設けられた溶接部材を短辺部材によって位置決めする。この状態で溶接部材を筐体に溶接することによって筐体にガイド部材を取り付けている（特許文献１参照）。
【特許文献１】特開２００５−１３４５１２号公報
【発明の開示】
【発明が解決しようとする課題】
【０００４】
特許文献１に記載のガイド部材の取り付け構造では、短辺部材と、溶接部材とが必要であるために、部品数が多くなる。また、短辺部材及び溶接部材を溶接する必要があるために、取り付けるのに手間が係かかる。
【０００５】
本発明の課題は、筐体にガイド部材を精度良く、かつ容易に取り付けることにある。
【課題を解決するための手段】
【０００６】
請求項１に係るガイド部材の取り付け構造は、原稿の画像情報を読み取る原稿読み取り装置に用いられ、回転止め部材を用いてガイド部材が回転するのを防止し、光源が移動するのをガイドするガイド部材を原稿読み取り装置の筐体に取り付けるガイド部材の取り付け構造であって、ガイド部材は、ガイド部材側回転防止孔と、筐体へのガイド部材側取り付け孔とが設けられた取り付け面を両端部に有し、筐体は、ガイド部材側回転防止孔に対応する位置に設けられた筐体側回転防止孔と、ガイド部材側取り付け孔に対応する位置に配置された筐体側取り付け孔とを有し、回転止め部材は、連結部取り付け孔と、ガイド部材側回転防止孔に挿入される２つの突起部とを有し、ガイド部材側取り付け孔及び筐体側取り付け孔、連結部取り付け孔に挿入されるとともにガイド部材を筐体に固定する固定部材を備えている。
【０００７】
このガイド部材の取り付け構造では、筐体側取り付け孔とガイド部材側取り付け孔とを重ね合わせて、筐体側取り付け孔及びガイド部材側取り付け孔、連結部取り付け孔に固定部材を挿入してガイド部材を筐体に取り付ける。
【０００８】
ここでは、ガイド部材にガイド部材側回転防止孔が設けられ、筐体に筐体側回転防止孔が設けられているために、ガイド部材側回転防止孔と筐体側回転防止孔とを重ね合わせてこれらの孔に回転止め部材を挿入した状態でガイド部材を筐体に取り付けることでガイド部材を筐体に取り付ける際のガイド部材が回転するのを防止できる。このために、ガイド部材の回転を考慮せずにガイド部材を筐体に取り付けることができ、かつ部材や手間が少なくなることから容易に取り付けることができる。
【０００９】
請求項２に係るガイド部材の取り付け構造は、請求項１に記載のガイド部材の取り付け構造であって、ガイド部材回転防止孔及び筐体側回転防止孔はそれぞれ一対の孔で構成され、回転止め部材は、２つの突起部と、２つの突起部を連結するとともに２つの突起部の間に連結部取り付け孔を有する連結部とを備えた回転止め部材をさらに備え、固定部材は、連結部取り付け孔に挿入されて、回転止め部材を筐体に固定する。
【００１０】
ここでは、一対のガイド部材側回転防止孔及び筐体側回転防止孔に一つの部材で突起を挿入することで、容易にガイド部材を筐体に取り付ける際のガイド部材の回転を防止できる。
【００１１】
請求項３に係るガイド部材の取り付け構造は、請求項１または２に記載のガイド部材の取り付け構造であって、筐体はガイド部材の鉛直方向位置決め孔をさらに有し、鉛直方向位置決め孔は一方向に延びる鉛直方向位置決め部材が挿入されることで鉛直方向位置を決める。
【００１２】
ここでは、鉛直方向位置決め孔に鉛直方向位置決め部材を挿入した状態でガイド部材を筐体に取り付けることでガイド部材の鉛直方向位置が決められることから、精度良くガイド部材を筐体に取り付けることができる。
【００１３】
請求項４に係るガイド部材の取り付け方法は、２つのガイド部材側回転防止孔及び取り付け孔を有し原稿読み取り装置の光源ユニットの移動をガイドするガイド部材を、２つの筐体側側回転防止孔及び筐体側取り付け孔に対応する位置に設けられた２つのガイド部材側回転防止孔、ガイド側取り付け孔及び鉛直方向位置決め孔を有する原稿読みとり装置の筐体に取り付ける取り付け方法であって、鉛直方向位置決め孔を貫通する鉛直方向位置決め部材を筐体外側から取り付け鉛直方向位置決め部材にガイド部材の上面を当接させてガイド部材の鉛直方向位置を決定し、ガイド部材側回転防止孔と筐体側回転防止孔とが重なり合うようにガイド部材を位置決めする第１工程と、２つの突起部を有する回転止め部材を用意し、ガイド部材側回転防止孔及び筐体側回転防止孔に筐体外部から回転止め部材の突起部を貫通させて回転止め部材を配置する第２工程と、固定部材によって第２部材を筐体に固定することにより、ガイド部材を筐体に取り付ける第３工程と、ガイド部材を取り付けた後、鉛直方向位置決め部材を取り外す第４工程とを備えている。
【発明の効果】
【００１４】
本発明では、筐体にガイド部材を精度良く、かつ容易に取り付けることができる。
【発明を実施するための最良の形態】
【００１５】
１．構成
図１に本発明の一実施形態が採用された原稿読み取り装置１を示す。なお、図１は各構成要素の配置を示すための模式図であり、各部の詳細は省略して示している。
【００１６】
原稿読み取り装置１は、原稿の画像データを読み取るための装置であって、筐体２と、光源３と、反射部４と、１対のガイド部材５と、回転止め部材６と、鉛直方向位置決め部材７と、駆動部８とを有している。
【００１７】
筐体２は、一方向に延びる箱状の部材であって、図示しない原稿台ガラスと、底板２１と、第１及び第２端壁２２、２３と、第１及び第２側壁２４，２５とを有している。図示しない原稿台ガラスは、原稿を載置する部分であって、透明なガラス部材である。底板２１は、原稿台ガラスに対向して配置された部材であって、長方形の板状部材である。第１及び第２端壁２２、２３は、長手方向の両端に配置された部材であって、図２に示すように、２つの筐体側鉛直方向位置決め孔２２１と、２つの筐体側回転防止孔２２２と、筐体側取り付け孔２２３とを有している。ここで、図２は筐体２の第１端壁２２を外側から見た図である。２つの筐体側鉛直方向位置決め孔２２１は、ガイド部材の鉛直方向上端位置を決める部分であって、第１端壁２２及び第２端壁の鉛直方向のほぼ真ん中に並べて設けられている。２つの筐体側回転防止孔２２２は、ガイド部材５を筐体２に取り付ける際に用いられる部分であって、筐体側鉛直方向位置決め孔２２１よりも下側に鉛直方向に並んで設けられている。筐体側取り付け孔２２３は２つの筐体側回転防止孔２２２の間に配置されている。第１及び第２側壁２４，２５は第１及び第２端壁２２，２３の両端を接続するように設けられた板状の部分である。
【００１８】
光源３は、原稿の主走査方向に光を照射する部分であって、紙面に直交する方向に延びて構成されている。光源３には例えばハロゲンランプや蛍光ランプ、キセノンランプなどが用いられる。また、光源３は、原稿の読み取りを行っていない状態では原稿の一端（図１の左側）に位置しており、原稿読み取りの際には原稿の一端から他端（図１の右側）までを一定の速度で移動する。
【００１９】
反射部４は、光源３と共に移動する第１反射部４１と、第１反射部４１に対向して配置された第２反射部４２とを有している。ここで、光源３と第１反射部４１とにより光源ユニットが構成されている。第１反射部４１は、原稿で反射した光を第２反射部４２側に反射する部分である。第２反射部４２は、第１反射部４１で反射した光を図示しない結像レンズ側に反射するための部分である。
【００２０】
１対のガイド部材５は、光源３の移動をガイドするための部材であって、図３に示すように、ガイド面５１と、接触面５２（取り付け面）と、側面５３とを有する。ここで、図３はガイド部材５の一端側を示す図である。各ガイド部材５は、原稿読み取り装置１の第１端壁２２と第２端壁２３とに接触するように配置され、後述する駆動プーリ８２に隣接して配置されている。ガイド面５１は、筐体２の底板２１と並行に配置された部分であって、一方向に延びる板状の部分である。接触面５２は、ガイド面５１が延びる方向の両端に配置されており、ガイド面５１とほぼ垂直になるように折り曲げて形成されている。また、接触面５２は筐体２の第１端壁２２及び第２端壁２３に接触させて配置される部分である。接触面５２には、ガイド部材側回転防止孔５２１が鉛直方向に２つ並んで配置されており、２つのガイド部材側回転防止孔５２１の間にガイド部材側取り付け孔５２２が設けられている。なお、ガイド部材側取り付け孔５２２の内周はねじ切りされている。側面５３はガイド面５１の両側端部から鉛直方向下側に延びる板状の部分である。
【００２１】
回転止め部材６は、ガイド部材５を筐体２に取り付ける際に回転するのを防止するための部材であって、図２に示すように、２つの回転防止突起６１と、連結部６２とを有している。回転止め部材６は筐体２の第１及び第２端壁２２、２３の外側に配置された部材である。２つの回転防止突起６１は筐体側回転防止孔２２２及びガイド部材側回転防止孔５２１を貫通する部分である。連結部６２は、２つの回転防止突起６１を連結する部分であって、筐体２の第１端壁２２及び第２端壁２３に沿って配置された板状の部分である。連結部６２はほぼ中央に連結部取り付け孔６２１を有している。なお、筐体側取り付け孔２２２とガイド部材側取り付け孔５２２と連結部取り付け孔６２１とを貫通させてビス９（固定部材）が配置されており、このビス９によって筐体２とガイド部材５と回転止め部材６とが固定されている。
【００２２】
鉛直方向位置決め部材７は平板状の部分７１から２つの位置決め突起７２が突出している部材である。この２つの位置決め突起７２は筐体側鉛直方向位置決め孔２２１に挿入可能である。なお、平板状の部分７１は磁石によって構成されており、筐体２の第１端壁２２及び第２端壁２３に吸着可能である。
【００２３】
駆動部８は、光源３や反射部４を移動させるための部分であって、回転軸８１と、駆動プーリ８２と、タイミングベルト８３と、接続部材８４とを有している。回転軸８１は、原稿読み取り装置１の長手方向の両端に配置されており、図示しないモータが回転することで回転する。駆動プーリ８２は、回転軸８１の軸方向両端に配置されており、回転軸８１の回転に伴って回転する部材である。タイミングベルト８３は、駆動プーリ８２に掛け渡すように配置されており、駆動プーリ８２の回転に伴って駆動する。接続部材８４は、光源３及び第１反射部４１と第２反射部４２との両端に配置された部材であって、一端はタイミングベルト８３に固定されている。
【００２４】
この原稿読み取り装置１では、原稿台ガラス上に原稿を載置し、読み取り命令（図示しない読み取り開始キーを押す）を指示すると現像の画像データを読み取る。具体的には、読み取り命令がなされると、光源ユニット３がガイド部材５に沿って移動しながら原稿に光を照射する。原稿に照射された光は反射部４によって図示しない結像レンズに反射されて結像される。結像レンズによって結像された光学像は図示しない光電変換素子によって光電変換される。
【００２５】
２．動作
原稿読み取り装置１にガイド部材５を取り付ける動作について説明する。
【００２６】
原稿読み取り装置１にガイド部材５を取り付ける際には、筐体２の筐体側鉛直方向位置決め孔２２１に位置決め突起７２を挿入するように鉛直方向位置決め部材７を配置する。このとき、鉛直方向位置決め部材７の平板状の部分７１が磁石によって形成されているために筐体２の第１端壁２２及び第２端壁２３に吸着することで固定されている。そして、ガイド部材５のガイド面５１が位置決め突起に接触すると共にガイド部材側回転防止孔５２１と筐体側回転防止孔２２２とが重なるようにガイド部材５を筐体２内に配置する（第１工程）。その後、ガイド部材側回転防止孔５２１と筐体側回転防止孔２２２とを回転防止突起６１が貫通するように回転止め部材６を筐体２の第１端壁２２及び第２端壁２３に配置する（第２工程）。その後、筐体側取り付け孔２２３及び連結部取り付け孔６２１を貫通するようにビス９を挿入する。具体的には、ガイド部材側取り付け孔５２２の浅い部分でビス９と螺合している状態（ガイド部材が少し移動可能な状態）にする。そして、ガイド部材５の位置を正確に決定し、ビス９をガイド部材側取り付け孔５２２と螺合させる（第３工程）。具体的には、ガイド部材５が移動不能な状態にする。その後、鉛直方向位置決め部材７を筐体２から取り外す。ここで、図４に筐体２にガイド部材５を取り付けた後の筐体２の第１端壁２２を示す。
【００２７】
ここでは、筐体側回転防止孔２２２及びガイド部材側回転防止孔５２１に柱状の部材を挿入した状態でガイド部材５を筐体２に取り付けることによって、ガイド部材５を筐体２に取り付ける際にガイド部材５が回転するのを防止できる。このために、ガイド部材５の回転を考慮せずに取り付けることができる。また、多くの部材及び手間が不要であるために、容易にガイド部材５を取り付けることができる。さらに、筐体側鉛直方向位置決め孔２２１に回転止め部材６を挿入した状態でガイド部材５を柱状の部材に当接するように配置することでガイド部材５の鉛直方向位置が決定されるために、ガイド部材５の筐体２への取り付け精度が良くなる。
【００２８】
３．他の実施形態
（ａ）上記実施形態では、筐体側回転防止孔２２２及びガイド部材側回転防止孔５２１に回転止め部材６の回転防止突起６１を挿入したが、本発明はこれに限られずに、ボルトなどを挿入して回転を防止しても良い。
【００２９】
（ｂ）上記実施形態では、筐体側鉛直方向位置決め孔２２１に鉛直方向位置決め部材の位置決め突起を挿入したが、本発明はこれに限られずに、ボルトなどを挿入してガイド部材の鉛直方向位置を決めても良い。
【図面の簡単な説明】
【００３０】
【図１】本発明の一実施形態に係る原稿読み取り装置１の全体図。
【図２】筐体２の第１端壁２２を外側から見た図。
【図３】ガイド部材５の一端側を示す図
【図４】筐体２にガイド部材５を取り付けている状態の第１端壁２２を示す図。
【符号の説明】
【００３１】
１  原稿読み取り装置
２  筐体
３  光源ユニット
５  ガイド部材
６  回転止め部材
９  ビス（固定部材）
６１  回転防止突起（突起部）
６２  連結部
２２１  筐体側鉛直方向位置決め孔
２２２  筐体側回転防止孔
２２３  筐体側取り付け孔
５２１  ガイド部材側回転防止孔
５２２  ガイド部材側取り付け孔
６２１  連結部取り付け孔
【図１】
0004799257.tif 000002
【図２】
0004799257.tif 000003
【図３】
0004799257.tif 000004
【図４】
0004799257.tif 000005